(57)【特許請求の範囲】
【請求項１】
密閉可能なボックス体と、
前記ボックス体の上部に開閉可能に設けられた蓋体と、
前記蓋体に設けられ、前記ボックス体の外部の空気を前記ボックス体の内部に取り入れる空気取入口と、
前記ボックス体の内部に収容され、前記空気取入口から前記ボックス体の内部に取り入れられた空気を冷却する蓄冷剤と、
前記蓋体に内蔵され、前記蓄冷剤によって冷却された空気を前記ボックス体の外部へ送出する吹出用ファン装置と、
を備えることを特徴とするポータブル式空調装置。
【請求項２】
前記ボックス体は、クーラーボックスが流用されることを特徴とする請求項１に記載のポータブル式空調装置。
【請求項３】
前記吹出用ファン装置へ電力を供給する電源ユニットを有し、
前記電源ユニットは、電力供給源としての電池セルを備えることを特徴とする請求項１または２に記載のポータブル式空調装置。
【請求項４】
前記電源ユニットは、前記吹出用ファン装置の連続運転と間欠運転とを選択する運転選択手段を備えることを特徴とする請求項３に記載のポータブル式空調装置。
【発明の詳細な説明】
【技術分野】
【０００１】
本発明は、ポータブル式空調装置に関する。
【背景技術】
【０００２】
例えば、特許文献１には、高断熱性を有し且つ空気流入口及び空気流出口が設けられた密閉式の外箱と、該外箱の内空間に隙間をあけて配設された熱伝導率の大きい冷却フィン付きの内箱と、該内箱の中に収容されたドライアイスと、内箱の中で発生した二酸化炭素を人体に無害の場所へ排出するための二酸化炭素排出部とを備え、さらに、外箱の内空間に、空気流入口を介して流入した空気を内箱と接触させながら空気流出口へ流すための空気流路と、該空気流出口から流出した空気を所定方向へ吹き出す電気モータ駆動のファンとを設けた冷風冷凍機が開示されている。
【０００３】
上記冷風冷凍機においては、内箱が銅板製であるため、製造コストが増加することに加え、重量化することから持ち運びが困難である。また、内箱と外箱との間に鉛直に延びる複数個の冷却フィンが設けられるため、構造が複雑化して製造が難しくなる。また、上記冷風冷凍機は、回転軸に回転翼を装着した電気モータが蓋の上面に設置され、この電気モータと、外気と空気流路とを連通する空気流出路とがカバーによって覆われる。すなわち、上記冷風冷凍機は、カバーによって囲われる空間が密閉されていないため、内箱と外箱との間の空間に十分な負圧を発生させることが困難であり、特に、弱風での運転時における冷房能力に問題がある。
【先行技術文献】
【特許文献】
【０００４】
【特許文献１】実用新案登録第３１３４５２６号公報
【発明の概要】
【発明が解決しようとする課題】
【０００５】
そこで本発明は、上記事情に鑑みてなされたもので、持ち運びが容易で、且つ安価なポータブル式空調装置を提供することを課題としてなされたものである。
【課題を解決するための手段】
【０００６】
上記課題を解決するために、本発明のポータブル式空調装置は、密閉可能なボックス体と、前記ボックス体の上部に開閉可能に設けられた蓋体と、前記蓋体に設けられ、前記ボックス体の外部の空気を前記ボックス体の内部に取り入れる空気取入口と、前記ボックス体の内部に収容され、前記空気取入口から前記ボックス体の内部に取り入れられた空気を冷却する蓄冷剤と、前記蓋体に内蔵され、前記蓄冷剤によって冷却された空気を前記ボックス体の外部へ送出する吹出用ファン装置と、を備えることを特徴とする。
【０００７】
（発明の態様）
以下に、本願において特許請求が可能と認識されている発明（以下、請求可能発明と称する）の態様を例示し、例示された各態様について説明する。ここでは、各態様を、特許請求の範囲と同様に、項に区分すると共に各項に番号を付し、必要に応じて他の項の記載を引用する形式で記載する。これは、請求可能発明の理解を容易にするためであり、請求可能発明を構成する構成要素の組み合わせを、以下の各項に記載されたものに限定する趣旨ではない。つまり、請求可能発明は、各項に付随する記載、実施形態の記載等を参酌して解釈されるべきであり、その解釈に従う限りにおいて、各項の態様にさらに他の構成要素を付加した態様も、また、各項の態様から構成要素を削除した態様も、請求可能発明の一態様となり得る。
なお、以下の各項において、（１）−（４）項の各々が、特許請求の範囲に記載した請求項１−５の各々に相当する。
【０００８】
（１）密閉可能なボックス体と、ボックス体の上部に開閉可能に設けられた蓋体と、蓋体に設けられ、ボックス体の外部の空気をボックス体の内部に取り入れる空気取入口と、ボックス体の内部に収容され、空気取入口からボックス体の内部に取り入れられた空気を冷却する蓄冷剤と、蓋体に内蔵され、蓄冷剤によって冷却された空気をボックス体の外部へ送出する吹出用ファン装置と、を備えることを特徴とするポータブル式空調装置。
本項に記載のポータブル式空調装置によれば、ボックス体の外部の空気は、空気取入口からボックス体の内部に取り入れられた後、ボックス体の内部に収容された蓄冷剤と接触することで冷却される。冷却された空気は、吹出用ファン装置によって、ボックス体の内部からボックス体の外部（室内空間）へ、例えば上方へ向けて送出される。このようにして、ボックス体の外部の空気は、順次ボックス体の内部へ取り入れられて冷却される。
【０００９】
（２）ボックス体は、クーラーボックスが流用されることを特徴とする（１）のポータブル式空調装置。
本項に記載のポータブル式空調装置によれば、クーラーボックスは、屋外での使用を前提として設計されているため、把手や肩に掛けるためのベルト等を備えていることから、持ち運びが容易である。また、ボックス体を新規に設計及び製造する必要がなく、必要に応じて市販のクーラーボックスから仕様に合ったものを選択することができるので、短期間で且つ安価に製造することができる。
本項の態様において、吹出用ファン装置と空気取入口とは、クーラーボックス（ボックス体）の蓋に設けることができる。この場合、クーラーボックスは、必要とされる密閉性が確保されているため、吹出用ファン装置としての電動ファンをクーラーボックスの蓋に内蔵することで、比較的少ない風量であっても、クーラーボックスの内部に十分な負圧を発生させることが可能である。これにより、クーラーボックスの外部の空気を空気取入口からクーラーボックスの内部へ効率的に取り入れることができ、消費電力も低減することができる。このように、本空調装置では、比較的広い空間（室内空間）であっても要求される空調能力を確保することが可能である。なお、空気取入口には、クーラーボックスの内部に取り入れられる空気を浄化するためのフィルタを取り付けることが望ましい。
【００１０】
（３）吹出用ファン装置へ電力を供給する電源ユニットを有し、電源ユニットは、電力供給源としての電池セルを備えることを特徴とする（１）、（２）のポータブル式空調装置。
本項に記載のポータブル式空調装置によれば、外部からの電力供給を受けることができない環境（例えば、屋外等）であっても使用することができる。
本項の態様において、電池セルは、例えば、電源ユニットの筐体内に収容される。電源ユニットは、例えば、吹出用ファン装置の定格電圧を２４Ｖに設定した場合、電力供給源を大型トラックのバッテリ（ＤＣ２４Ｖ）と電池セルとで選択するように構成することができる。同様に、吹出用ファン装置の定格電圧を１２Ｖに設定した場合、電力供給源を普通車のバッテリ（ＤＣ１２Ｖ）と電池セルとで選択するように構成することができる。さらに、電源ユニットは、電力会社から供給されるＡＣ１００Ｖを使用することができるように構成してもよい。そして、電源ユニットは、これら電力供給源を適宜選択できるように構成することができる。なお、電池セルは、ＤＣ１．５Ｖの乾電池を必要な数量（例えば、ＤＣ２４Ｖの場合、１６個）だけ直列に接続して構成することができる。また、電池セルは、ＤＣ１．５Ｖの乾電池の他、ＤＣ１．２Ｖの二次電池を使用することが可能である。
【００１１】
（４）電源ユニットは、吹出用ファン装置の連続運転と間欠運転とを選択する運転選択手段を備えることを特徴とする（３）のポータブル式空調装置。
本項に記載のポータブル式空調装置によれば、電力供給源が電池セルである場合、すなわち、電源ユニットが外部（例えば、車両のバッテリ等）からの電力供給を受けない場合、運転選択手段によって間欠運転を選択することで、本空調装置が有効に作用する運転持続時間を引き延ばすことができる。本項の態様によれば、本空調装置の連続運転における運転持続時間及び間欠運転における運転持続時間を概ね推定することができる。したがって、使用中、電源の電力供給が途絶え、予想しないタイミングで空調装置が機能しなくなる事態を回避することができる。
【発明の効果】
【００１６】
本発明によれば、持ち運びが容易で、且つ安価なポータブル式空調装置を提供することができる。
【図面の簡単な説明】
【００１７】
【図１】本実施形態のポータブル式空調装置の全体図である。
【図２】図１において、ボックス体の蓋体が開かれた状態を示す図である。
【図３】図２において、ボックス体にドライアイスが収容された状態を示す図である。
【図４】図３において、ドライアイスの代わりに、氷が入ったペットボトルがボックス体に収容された状態を示す図である。
【図５】電源ユニットに収容された電池セルを示す図である。
【図６】電源ユニットに設けられた操作パネルを示す図である。
【発明を実施するための形態】
【００１８】
本発明の一実施形態を添付した図を参照して説明する。以下、本実施形態のポータブル式空調装置の空調目的を室内の冷房とした場合を説明する。
図１及び図２に示されるように、本空調装置１は、市販のクーラーボックスを流用したボックス体２を有する。ボックス体２は、一対のヒンジ４によって開閉可能な蓋体３を有し、該蓋体３には、持ち運びに際して使用する折り畳み式の把手５が設けられる。蓋体３は、把手５の一側（図１及び図２における右側）に電動ファン６（吹出用ファン装置）を備え、また、把手５の他側（図１及び図２における左側）には、フィルタ８を有する空気取入口７が設けられる。なお、電動ファン７は、ＤＣ２４Ｖで駆動されるパネル型電動ファンであって、蓋体３に内蔵されている。
【００１９】
図３に示されるように、ボックス体２には、適量のドライアイス９（蓄冷剤）が収容される。ドライアイス９を収容したボックス体２の蓋体３を閉じて電動ファン６（吹出用ファン装置）を作動させると、ボックス体２の内部に負圧が発生し、室内の空気が空気取入口７からボックス体２の内部へ取り入れられる。ボックス体２の内部へ取り入れられた空気は、ドライアイス９との接触によって冷却された後、電動ファン６によってボックス体２の外部（室内空間）へ上方へ向けて送出される。なお、ボックス体２に収容する蓄冷剤は、ボックス体２の内部へ取り入れられた空気を冷却する機能を有するものであれば、ドライアイス９の他、図４に示されるように、より入手が容易なペットボトル１０に入れた水を凍らせたもの等とすることができる。
【００２０】
図５に示されるように、本空調装置１は、電動ファン６（吹出用ファン装置）に対してＤＣ２４Ｖの電力を供給する電力供給源としての電源ユニット１１を有する。電源ユニット１１は、ステンレス製の筐体を備え、この筐体内には、ＤＣ１．５Ｖの単一乾電池を１６個直列に接続して構成されたＤＣ２４Ｖの電池セル１２が収容されている。電源ユニット１１は、ボックス体２の一側面（図１及び図２における右側面）に着脱可能に取り付けられており、筐体の上部には電源ユニット１１の単独での持ち運びの際に使用する把手１３が設けられている。なお、電池セル１２からの電力供給と外部からの電力供給（例えば、大型トラックのバッテリからのＤＣ２４Ｖの電力供給）とを適宜選択することができるように本空調装置１の電源ユニット１１を構成することは、当業者であれば容易に実施できるであろう。
【００２１】
図６に示されるように、電源ユニット１１の上部には、操作パネル１４が設けられる。この操作パネル１４には、電動ファン６（吹出用ファン装置）の連続運転／停止／間欠運転を切り替える切替スイッチ１５（運転選択手段）と、本空調装置１のオン／オフを切り替えるメインスイッチ１６とが配置されている。なお、本空調装置１は、必要に応じて追加される周辺装置（例えば、冷房に向けて室内に効果的な空気の流れを形成するための電動ファン）に対して電力供給を行えるように構成されており、操作パネル１４に配置された切替スイッチ１７は、この周辺装置の連続運転／停止／間欠運転を切り替える予備のスイッチ（運転選択手段）である。また、各切替スイッチ１５、１７を操作して運転モードを間欠運転に切り替えた時の運転間隔は、電源ユニット１１の筐体内に設けられた各タイマー（図示省略）の設定により任意に調整することが可能である。
【００２２】
次に、本実施形態の作用を説明する。
まず、ボックス体２の内部にドライアイス９（蓄冷剤、図４参照）を収容した後、ボックス体２の蓋体３を閉じて密閉する。次に、このボックス体２を、室内に運び、電動ファン６（吹出用ファン装置）の吹出方向（空気送出方向）等を考慮して適当な場所に配置する。なお、予め室内に配置されたボックス体２の内部に、ドライアイス９を補給する形で収容してもよい。
【００２３】
次に、要求される冷房能力、運転持続時間等を考慮して、電動ファン６の運転モードを、操作パネル１４の切替スイッチ１５（運転選択手段）を操作して切り替える。ここで、間欠運転を選択した場合、必要に応じて、その運転間隔を調整する。次に、メインスイッチ１６を操作して、本空調装置１の運転を開始、すなわち、電動ファン６（吹出用ファン装置）を作動させる。これにより、ボックス体２の内部に負圧が発生し、その結果、室内の空気は、空気取入口７からボックス体２の内部に取り入れられ、ドライアイス９との接触によって冷却される。冷却された空気は、電動ファン６によってボックス体２の外部（室内空間）へ送出される。
【００２４】
この実施形態では以下の効果を奏する。
本実施形態によれば、例えば、本空調装置を室内で使用する場合、ボックス体２の内部で調節（冷却）された空気は、電動ファン６（吹出用ファン装置）によって室内へ送出され、室内の冷房に利用された後、やがてボックス体２の空気取入口７から再びボックス体２の内部に取り入れられる。これにより、室内空間を循環する空気の流れが形成され、効果的に冷房を行うことができる。
また、電動ファン６（吹出用ファン装置）を、密閉が確保されたボックス体２の蓋体３に内蔵したので、ボックス体２の内部に効率的に負圧を発生されることが可能になり、比較的少ない風量であっても十分な冷房能力を得ることができ、その結果、消費電力を低減することができる。
また、ボックス体２には、市販のクーラーボックスを流用したので、持ち運びが容易で、且つ安価な空調装置を提供することができる。
また、電源ユニット１１をボックス体２に取り付け、電源ユニット１１には、電力供給源としての電池セル１２が収容されるので、外部からの電力供給を受けることができない環境（例えば、屋外）であっても、本空調装置１を使用することができる。
また、切替スイッチ１５（運転選択手段）の操作によって、電動ファン６（吹出用ファン装置）の運転モードを、連続運転／停止／間欠運転に切り替えるように構成したので、本空調装置１のように、独自の電源（電池セル１２）を備えている場合、すなわち、外部からの電力供給が受けられない場合、間欠運転を選択することで、運転持続時間を引き延ばすことができる。そして、本実施形態では、運転持続時間を概ね推定することができるので、必要に応じて、連続運転と間欠運転とを適宜に選択することができる。例えば、室内温度を早く下げたい場合、連続運転を選択し、他方、より長い間冷房の恩恵を受けたい場合、間欠運転を選択することができる。
【符号の説明】
【００２６】
１  空調装置、２  ボックス体、６  電動ファン（吹出用ファン装置）、７  空気取入口、９  ドライアイス（蓄冷剤）
【図１】
0005762067.tif 000002
【図２】
0005762067.tif 000003
【図３】
0005762067.tif 000004
【図４】
0005762067.tif 000005
【図５】
0005762067.tif 000006
【図６】
0005762067.tif 000007